(57)【要約】【課題】取引状況と健康状態とを評価し、ユーザに対してアドバイスを行なうためのアドバイス出力システム、アドバイス出力方法及びアドバイス出力プログラムを提供する。【解決手段】管理端末２０は、利用者の健康状態を記録する健康情報記憶部２２と、取引情報を記録した取引状況記憶部２３と、身体情報を取得するセンサ１０に接続された制御部２１とを備える。そして、制御部２１が、センサ１０で検出したセンサ情報に基づいて、健康状態を評価し、検出日時に関連付けて健康情報記憶部２２に記録する。制御部２１は、取引情報記憶部３３から取引情報を取得し、取引情報の取引日時に対応する検出日時の健康状態を、健康情報記憶部２２から取得し、取引情報と健康状態とに基づいてアドバイスを出力する。【選択図】図１
2017123032.tif 000002
【特許請求の範囲】
【請求項１】
利用者の健康状態を記録する健康情報記憶部と、
取引情報を記録した取引情報記憶部と、身体情報を取得するセンサに接続された制御部とを備えたアドバイス出力システムであって、
前記制御部が、
前記センサにおいて検出したセンサ情報に基づいて、健康状態を評価し、検出日時に関連付けて前記健康情報記憶部に記録し、
前記取引情報記憶部から取引情報を取得し、
前記取引情報の取引日時に対応する検出日時の健康状態を、前記健康情報記憶部から取得し、
前記取引情報と前記健康状態とに基づいてアドバイスを出力することを特徴とするアドバイス出力システム。
【請求項２】
前記取引情報についての取引評価結果を取得し、
前記取引評価結果と、取引日時に対応する検出日時の健康状態とを関連付けて記録し、
前記センサのセンサ情報に基づいて特定した健康状態に対応する取引評価結果に基づいて、アドバイスを出力することを特徴とする請求項１に記載のアドバイス出力システム。
【請求項３】
前記取引情報について、評価対象期間の取引パターンを特定し、
前記取引パターンと、前記評価対象期間に対応する検出日時の健康状態とを関連付けて記録し、
前記取引情報記憶部から取得した取引情報の取引パターンに対応する健康状態に基づいてアドバイスを出力することを特徴とする請求項１又は２に記載のアドバイス出力システム。
【請求項４】
利用者の健康状態を記録する健康情報記憶部と、
取引情報を記録した取引情報記憶部と、身体情報を取得するセンサに接続された制御部とを備えたアドバイス出力システムを用いて、アドバイスを出力する方法であって、
前記制御部が、
前記センサにおいて検出したセンサ情報に基づいて、健康状態を評価し、検出日時に関連付けて前記健康情報記憶部に記録し、
前記取引情報記憶部から取引情報を取得し、
前記取引情報の取引日時に対応する検出日時の健康状態を、前記健康情報記憶部から取得し、
前記取引情報と前記健康状態とに基づいてアドバイスを出力することを特徴とするアドバイス出力方法。
【請求項５】
利用者の健康状態を記録する健康情報記憶部と、
取引情報を記録した取引情報記憶部と、身体情報を取得するセンサに接続された制御部とを備えたアドバイス出力システムを用いて、アドバイスを出力するためのプログラムであって、
前記制御部を、
前記センサにおいて検出したセンサ情報に基づいて、健康状態を評価し、検出日時に関連付けて前記健康情報記憶部に記録し、
前記取引情報記憶部から取引情報を取得し、
前記取引情報の取引日時に対応する検出日時の健康状態を、前記健康情報記憶部から取得し、
前記取引情報と前記健康状態とに基づいてアドバイスを出力する手段として機能させることを特徴とするアドバイス出力プログラム。
【発明の詳細な説明】
【技術分野】
【０００１】
本発明は、取引状況、健康状態に関する情報を用いて、ユーザに対してアドバイスを行なうためのアドバイス出力システム、アドバイス出力方法及びアドバイス出力プログラムに関する。
【背景技術】
【０００２】
利用者の健康状態が取引に影響することがある。そこで、利用者の状態に応じて、適切な対応を行なうために、自動取引装置を利用する利用者の情報を管理する技術が検討されている（例えば、特許文献１参照）。この文献に記載された自動取引システムにおいては、利用者の機能状態を表す健康状態管理情報を記憶する記憶部と、利用者の行動に基づいて利用者の機能状態を判定する判定部とを備える。そして、判定された機能状態を用いて、健康状態管理情報を更新し、健康状態管理情報を認識可能に出力する。
【０００３】
また、身につけて持ち歩くことができるウェアラブルコンピュータも利用されつつある。このウェアラブルコンピュータを用いて、基底心拍数情報から健康度情報の演算を行なう技術も検討されている（例えば、特許文献２参照）。この文献に記載された技術においては、生体情報処理システムは、深睡眠状態における心拍数を表す基底心拍数情報を取得する基底心拍数情報取得部と、心拍数情報を取得する心拍数情報取得部とを備える。そして、基底心拍数情報と心拍数情報との相対情報に基づいて健康度を表す健康度情報を算出する。
【先行技術文献】
【特許文献】
【０００４】
【特許文献１】特開２０１４−１４２７４６号公報
【特許文献２】特開２０１４−５０４５１号公報
【発明の概要】
【発明が解決しようとする課題】
【０００５】
しかしながら、健康状態は、それぞれの利用者によって異なる。特許文献１記載の技術のようにＡＴＭ（automated teller machine）等の自動取引装置において、利用者の状態を判定する場合には、万人に共通した項目しか判定できない。また、特許文献２記載の技術においては、日常的に健康度を評価することができる。しかしながら、この健康度を算出しただけでは、取引に対する影響を評価することができない。
【０００６】
本発明は、上記課題を解決するためになされたものであり、取引状況と健康状態とを評価し、ユーザに対してアドバイスを行なうためのアドバイス出力システム、アドバイス出力方法及びアドバイス出力プログラムを提供することにある。
【課題を解決するための手段】
【０００７】
（１）上記課題を解決するアドバイス出力システムは、利用者の健康状態を記録する健康情報記憶部と、取引情報を記録した取引情報記憶部と、身体情報を取得するセンサに接続された制御部とを備える。そして、前記制御部が、前記センサにおいて検出したセンサ情報に基づいて、健康状態を評価し、検出日時に関連付けて前記健康情報記憶部に記録し、前記取引情報記憶部から取引情報を取得し、前記取引情報の取引日時に対応する検出日時の健康状態を、前記健康情報記憶部から取得し、前記取引情報と前記健康状態とに基づいてアドバイスを出力する。これにより、取引状況と健康状態に基づいて、ユーザに対してアドバイスを提供することができる。
【０００８】
（２）上記アドバイス出力システムにおいて、前記取引情報についての取引評価結果を取得し、前記取引評価結果と、取引日時に対応する検出日時の健康状態とを関連付けて記録し、前記センサのセンサ情報に基づいて特定した健康状態に対応する取引評価結果に基づいて、アドバイスを出力することが好ましい。これにより、取引の満足度が低い健康状態での取引についてのアドバイスを行なうことができる。
【０００９】
（３）上記アドバイス出力システムにおいて、前記取引情報について、評価対象期間の取引パターンを特定し、前記取引パターンと、前記評価対象期間に対応する検出日時の健康状態とを関連付けて記録し、前記取引情報記憶部から取得した取引情報の取引パターンに対応する健康状態に基づいてアドバイスを出力することが好ましい。これにより、取引状況に応じて健康状態を予測し、健康状態についてのアドバイスを行なうことができる。
【発明の効果】
【００１０】
本発明によれば、取引状況と健康状態とを評価し、ユーザに対してアドバイスを行なうことができる。
【図面の簡単な説明】
【００１１】
【図１】本実施形態のアドバイス出力システムの説明図。
【図２】本実施形態の情報記憶部の説明図であって、（ａ）は健康情報記憶部、（ｂ）は取引状況記憶部、（ｃ）は評価情報記憶部の各説明図。
【図３】本実施形態の処理手順の説明図であって、（ａ）は健康情報記録処理、（ｂ）は取引情報記録処理の各説明図。
【図４】本実施形態の処理手順の説明図であって、（ａ）は取引管理支援処理、（ｂ）は健康管理支援処理の説明図。
【発明を実施するための形態】
【００１２】
以下、アドバイス出力システム、アドバイス出力方法及びアドバイス出力プログラムを具体化した一実施形態を、図１〜図４に従って説明する。本実施形態では、ユーザの身体情報と取引情報とに基づいて、ユーザに対してアドバイスを提供する場合を想定する。
【００１３】
図１に示すように、本実施形態では、ネットワークを介して接続された管理端末２０、ホストシステム３０を用いる。
更に、管理端末２０は、センサ１０に接続されている。このセンサ１０は、ユーザの身体情報を取得する。本実施形態では、身体情報としては、脈拍、血圧等を取得する。
【００１４】
管理端末２０は、ユーザが利用するコンピュータ端末である。管理端末２０としては、例えば、ユーザの身体に装着するウエアラブル端末を想定する。管理端末２０は、制御部、記憶部、キーボードやポインティングデバイス等を含む入力部、ディスプレイを含む出力部を備える。この管理端末２０は、制御部２１、健康情報記憶部２２、取引状況記憶部２３、評価情報記憶部２４を備えている。
【００１５】
制御部２１は、図示しないＣＰＵ等の制御手段、ＲＡＭ及びＲＯＭ等のメモリを備え、後述する処理（身体情報取得段階、健康評価段階、取引情報取得段階、取引評価段階、管理段階等の各処理等）を行なう。そして、アドバイス出力プログラムを実行することにより、制御部２１は、身体情報取得部２１１、健康評価部２１２、取引情報取得部２１３、取引評価部２１４、アドバイス部２１５として機能する。
【００１６】
身体情報取得部２１１は、センサ１０から、ユーザの身体情報（センサ情報）を取得する処理を実行する。
健康評価部２１２は、センサ１０から取得したセンサ情報に基づいて、ユーザの健康状態を評価する処理を実行する。このため、健康評価部２１２は、センサ情報に対応して健康状態を特定するための健康評価テーブルを保持している。例えば、健康状態としては、「良い」〜「悪い」まで、降順の５段階評価を行なう。
【００１７】
取引情報取得部２１３は、後述するホストシステム３０から取引情報を取得する処理を実行する。取引情報取得部２１３は、ユーザのカードＩＤに関するデータを保持している。
【００１８】
取引評価部２１４は、ホストシステム３０から取得した取引情報を評価する処理を実行する。
アドバイス部２１５は、取引情報や健康情報に基づいて、ユーザに対して注意喚起（アドバイス）を行なう処理を実行する。
【００１９】
図２（ａ）に示すように、健康情報記憶部２２には、ユーザの健康状態についての健康管理レコード２２０が記録される。健康管理レコード２２０は、センサ１０からセンサ情報を取得した場合に記録される。健康管理レコード２２０には、検出日時、センサ情報、健康状態に関するデータが記録される。
【００２０】
検出日時データ領域には、センサ１０からセンサ情報を取得した年月日及び時刻に関するデータが記録される。
センサ情報データ領域には、センサ１０から取得した身体情報に関するデータが記録される。
健康状態データ領域には、このセンサ情報に基づいて予測される健康状態に関するデータが記録される。
【００２１】
図２（ｂ）に示すように、取引状況記憶部２３には、取引内容の満足度についての取引状況管理レコード２３０が記録される。取引状況管理レコード２３０は、取引が行なわれた場合に記録される。取引状況管理レコード２３０には、取引ＩＤ、店舗ＩＤ、取引日時、金額、内容、満足度に関するデータが記録される。
【００２２】
取引ＩＤデータ領域には、各取引を特定するための識別子に関するデータが記録される。
店舗ＩＤデータ領域には、この取引が行なわれた店舗を特定するための識別子に関するデータが記録される。
【００２３】
取引日時データ領域には、この取引が行なわれた年月日に関するデータが記録される。
金額データ領域、内容データ領域には、それぞれ、取引金額や取引の内容に関するデータが記録される。
満足度データ領域には、この取引に対する満足度に関するデータが記録される。
【００２４】
図２（ｃ）に示すように、評価情報記憶部２４には、健康評価レコード２４１、取引評価レコード２４２が記録される。健康評価レコード２４１、取引評価レコード２４２は、取引情報記録処理を実行した場合に記録される。
【００２５】
健康評価レコード２４１には、健康状態、取引評価結果に関するデータが記録される。
健康状態データ領域には、ユーザの健康状態を特定するための識別子に関するデータが記録される。
【００２６】
取引評価結果データ領域には、この健康状態で行なわれる取引の評価（満足度の５段階評価値）に関するデータが記録される。
【００２７】
取引評価レコード２４２には、取引状況、健康評価結果に関するデータが記録される。
取引状況データ領域には、ユーザの取引状況（取引パターン）を特定するためのデータが記録される。
健康評価結果データ領域には、この取引状況（取引パターン）における健康状態の評価（健康状態の５段階評価値）に関するデータが記録される。
【００２８】
図１のホストシステム３０は、金融機関の顧客情報や取引情報を管理するコンピュータシステムである。このホストシステム３０は取引情報記憶部３３を備えている。
取引情報記憶部３３には、顧客が開設した口座を利用しての取引を管理するための取引管理レコード３３０が記録される。取引管理レコード３３０は、金融機関において口座が開設された場合に登録され、口座を利用した取引が行なわれた場合に更新される。この取引管理レコード３３０は、取引ＩＤ、カードＩＤ、ユーザＩＤ、店舗ＩＤ、取引日時、金額、内容に関するデータが記録される。
【００２９】
取引ＩＤデータ領域には、各取引を特定するための識別子に関するデータが記録される。
カードＩＤデータ領域には、この取引において用いられたカードを特定するための識別子に関するデータが記録される。カードとしては、キャッシュカードやクレジットカード、プリペイドカードを用いることができる。
【００３０】
ユーザＩＤデータ領域には、このカードを保有するユーザを特定するための識別子に関するデータが記録される。
店舗ＩＤデータ領域には、この取引が行なわれた店舗を特定するための識別子に関するデータが記録される。
【００３１】
取引日時データ領域には、この取引が行なわれた年月日及び時刻に関するデータが記録される。
金額データ領域、内容データ領域には、それぞれ、取引金額や取引の内容に関するデータが記録される。この取引内容には、カード等を用いた支払や現金の引出のように、ユーザの自発的な行為のみならず、給与や賞与等の入金、残高等の照会、ローン返済等も含まれる。
【００３２】
次に、上記のシステムを用いて行なわれる処理を、図３を用いて説明する。
（健康情報記録処理）
まず、図３（ａ）を用いて、健康情報記録処理を説明する。この処理は、定期的に実行される。
【００３３】
ここでは、管理端末２０の制御部２１は、センサ情報の取得処理を実行する（ステップＳ１−１）。具体的には、制御部２１の身体情報取得部２１１は、センサ１０から身体情報を取得する。次に、身体情報取得部２１１は、システムタイマから取得した現在日時及びセンサ情報を記録した健康管理レコード２２０を生成し、健康情報記憶部２２に記録する。
【００３４】
次に、管理端末２０の制御部２１は、健康状態の記録処理を実行する（ステップＳ１−２）。具体的には、制御部２１の健康評価部２１２は、健康評価テーブルを用いて、センサ１０から取得したセンサ情報に基づいて健康状態を特定する。そして、健康評価部２１２は、特定した健康状態を健康管理レコード２２０に記録する。
【００３５】
（取引情報記録処理）
次に、図３（ｂ）を用いて、取引情報記録処理を説明する。この処理は、定期的に実行される。
【００３６】
ここでは、管理端末２０の制御部２１は、取引情報の検索処理を実行する（ステップＳ２−１）。具体的には、制御部２１の取引情報取得部２１３は、ホストシステム３０にアクセスする。そして、取引情報取得部２１３は、ユーザのカードＩＤが記録された取引管理レコード３３０を取引情報記憶部３３から抽出する。
【００３７】
次に、管理端末２０の制御部２１は、評価済みかどうかについての判定処理を実行する（ステップＳ２−２）。具体的には、制御部２１のアドバイス部２１５は、抽出した取引管理レコード３３０の取引ＩＤと、取引状況記憶部２３に記録された取引ＩＤとを比較し、取引状況記憶部２３に記録されていない取引ＩＤの有無を判定する。取引状況記憶部２３に記録されていない取引ＩＤがないと判定した場合には、アドバイス部２１５は、評価済みと判定する。
【００３８】
ここで、取引状況記憶部２３に記録されていない取引ＩＤがあり、評価済みでないと判定した場合（ステップＳ２−２において「ＮＯ」の場合）、管理端末２０の制御部２１は、評価情報の取得処理を実行する（ステップＳ２−３）。具体的には、制御部２１の取引情報取得部２１３は、取引管理レコード３３０に記録されている取引ＩＤ、店舗ＩＤ、取引日時、金額、内容を記録した取引状況管理レコード２３０を生成し、取引状況記憶部２３に記録する。次に、取引評価部２１４は、ディスプレイに、満足度評価画面を出力する。この満足度評価画面には、取引内容表示欄、満足度選択欄が設けられている。ユーザは、取引内容を確認し、満足度を満足度選択欄に入力する。満足度としては、例えば、「良い」〜「悪い」までの５段階評価を行なう。この場合、取引評価部２１４は、満足度評価画面に入力された満足度を、取引評価結果として取引状況管理レコード２３０に記録する。
【００３９】
次に、管理端末２０の制御部２１は、健康状態に基づく取引状況の評価処理を実行する（ステップＳ２−４）。具体的には、制御部２１の取引評価部２１４は、取引状況管理レコード２３０の取引日時に対して所定時間内の検出日時が記録された健康管理レコード２２０を、健康情報記憶部２２から取得する。次に、取引評価部２１４は、健康管理レコード２２０に記録されている健康状態を特定する。そして、取引評価部２１４は、特定した健康状態と取引評価結果とを関連付けた健康評価レコード２４１を生成し、評価情報記憶部２４に記録する。
【００４０】
一方、評価済みと判定した場合（ステップＳ２−２において「ＹＥＳ」の場合）、管理端末２０の制御部２１は、評価情報の取得処理（ステップＳ２−３）、健康状態に基づく取引状況の評価処理（ステップＳ２−４）をスキップする。
【００４１】
次に、管理端末２０の制御部２１は、取引状況に基づく健康状態の評価処理を実行する（ステップＳ２−５）。具体的には、制御部２１の取引評価部２１４は、評価対象期間の取引状況管理レコード２３０の取引内容の取引パターン（商品の種類や、この商品の取引頻度等）を算出する。そして、取引評価部２１４は、健康情報記憶部２２から、この評価対象期間の健康状態の統計値を算出する。そして、取引評価部２１４は、取引パターンと、算出した健康状態の統計値とを関連付けた取引評価レコード２４２を生成し、評価情報記憶部２４に記録する。
【００４２】
（取引管理支援処理）
次に、図４（ａ）を用いて、取引管理支援処理を説明する。この処理は、定期的に行われる。
まず、管理端末２０の制御部２１は、健康状態の特定処理を実行する（ステップＳ３−１）。具体的には、制御部２１の身体情報取得部２１１は、センサ１０からセンサ情報を取得する。そして、健康評価部２１２は、センサ情報に基づいて、健康状態を特定する。
【００４３】
次に、管理端末２０の制御部２１は、健康情報に対応する取引情報の取得処理を実行する（ステップＳ３−２）。具体的には、制御部２１のアドバイス部２１５は、特定した健康状態が記録された健康評価レコード２４１を評価情報記憶部２４から取得する。そして、アドバイス部２１５は、抽出した健康評価レコード２４１に記録されている取引評価結果（満足度の５段階評価値）の統計値を算出する。
【００４４】
次に、管理端末２０の制御部２１は、注意喚起が必要かどうかについての判定処理を実行する（ステップＳ３−３）。具体的には、制御部２１のアドバイス部２１５は、算出した統計値と基準値とを比較し、基準値以下の場合には、注意喚起が必要と判定する。
【００４５】
注意喚起が必要と判定した場合（ステップＳ３−３において「ＹＥＳ」の場合）、管理端末２０の制御部２１は、取引注意予報処理を実行する（ステップＳ３−４）。具体的には、制御部２１のアドバイス部２１５は、ディスプレイに、アドバイスとして、取引を行なう場合の注意喚起メッセージを出力する。
【００４６】
一方、統計値が基準値を超えており、注意喚起が必要でないと判定した場合（ステップＳ３−３において「ＮＯ」の場合）、管理端末２０の制御部２１は、取引注意予報処理（ステップＳ３−４）をスキップして処理を終了する。
【００４７】
（健康管理支援処理）
次に、図４（ｂ）を用いて、健康管理支援処理を説明する。この処理は、定期的に行われる。
まず、管理端末２０の制御部２１は、取引状況の特定処理を実行する（ステップＳ４−１）。具体的には、制御部２１の取引情報取得部２１３は、ホストシステム３０から、ユーザのカードＩＤの取引管理レコード３３０を取得する。そして、アドバイス部２１５は、取得した取引管理レコード３３０を用いて、取引評価レコード２４２に記録されたすべての取引パターンを特定する。
【００４８】
次に、管理端末２０の制御部２１は、取引情報に対応する健康情報の取得処理を実行する（ステップＳ４−２）。具体的には、制御部２１のアドバイス部２１５は、特定した取引パターンが記録された取引評価レコード２４２を評価情報記憶部２４から取得する。そして、アドバイス部２１５は、抽出した取引評価レコード２４２に記録されている健康評価結果（健康状態の５段階評価値）の統計値を算出する。
【００４９】
次に、管理端末２０の制御部２１は、注意喚起が必要かどうかについての判定処理を実行する（ステップＳ４−３）。具体的には、制御部２１のアドバイス部２１５は、算出した統計値と基準値とを比較し、基準値以下の場合には、注意喚起が必要と判定する。
【００５０】
注意喚起が必要と判定した場合（ステップＳ４−３において「ＹＥＳ」の場合）、管理端末２０の制御部２１は、健康注意予報処理を実行する（ステップＳ４−４）。具体的には、制御部２１のアドバイス部２１５は、ディスプレイに、アドバイスとして、健康状態についての注意喚起メッセージを出力する。例えば、自動車税・固定資産税等の支払がかさむ時期に健康状態が変化している場合には、支払に基づいて健康への注意喚起を行なうことができる。
【００５１】
一方、統計値が基準値を超えており、注意喚起が必要でないと判定した場合（ステップＳ４−３において「ＮＯ」の場合）、管理端末２０の制御部２１は、健康注意予報処理（ステップＳ４−４）をスキップして処理を終了する。
【００５２】
以上、本実施形態によれば、以下に示す効果を得ることができる。
（１）本実施形態では、管理端末２０の制御部２１は、健康状態に基づく取引状況の評価処理を実行する（ステップＳ２−４）。これにより、各健康状態で行なった取引の満足度を予測することができる。
【００５３】
（２）本実施形態では、管理端末２０の制御部２１は、取引状況に基づく健康状態の評価処理を実行する（ステップＳ２−５）。これにより、取引状況に応じて、健康状態を予測することができる。例えば、給料日、入金金額確認、給料日前の残高照会、ローン返済日等に応じて、感情の起伏、健康への影響を予測することができる。
【００５４】
（３）本実施形態では、管理端末２０の制御部２１は、健康状態の特定処理（ステップＳ３−１）、健康情報に対応する取引情報の取得処理（ステップＳ３−２）、注意喚起が必要かどうかについての判定処理（ステップＳ３−３）を実行する。これにより、取引の満足度が低い健康状態での取引について、各ユーザに対してアドバイスを行なうことができる。
【００５５】
（４）本実施形態では、管理端末２０の制御部２１は、取引状況の特定処理（ステップＳ４−１）、取引情報に対応する健康情報の取得処理（ステップＳ４−２）、注意喚起が必要かどうかについての判定処理（ステップＳ４−３）を実行する。これにより、取引状況に応じて、各ユーザの健康状態を予測し、各ユーザに対して健康状態についてのアドバイスを行なうことができる。
【００５６】
なお、上記実施形態は、以下の態様に変更してもよい。
・上記実施形態では、センサ１０は、ユーザの身体情報として、脈拍、血圧等を取得する。健康状態を評価するためのセンサ情報は、これに限定されるものではない。例えば、瞳孔の大きさや動き、体温等を用いるようにしてもよい。
【００５７】
・上記実施形態では、管理端末２０の制御部２１は、取引状況に基づく健康状態の評価処理を実行する（ステップＳ２−５）。ここでは、評価対象期間の取引パターンと、健康状態の統計値を関連づける。取引状況に基づく健康状態の評価方法は、これに限定されるものではない。例えば、取引状況に含まれる各情報の特徴量と、健康状態の特徴量を算出し、機械学習により両者の関係性を特定するようにしてもよい。
【００５８】
・上記実施形態では、管理端末２０の制御部２１は、取引情報の検索処理を実行する（ステップＳ２−１）。具体的には、制御部２１の取引情報取得部２１３は、ホストシステム３０の取引情報記憶部３３から取引情報を取得する。これに代えて、管理端末２０を用いて取引が行なわれた場合に、この情報を管理端末２０において蓄積し、取引情報として利用することも可能である。これにより、取引のためのデバイスと、身体情報を取得するウェアラブルデバイスとを、一体化したデバイスにより構成することが可能である。例えば、取引を行なう場合の生体認証時に、身体情報も同時に取得することができる。
【００５９】
・上記実施形態では、管理端末２０の制御部２１は、健康状態の記録処理を実行する（ステップＳ１−２）。この場合、センサ１０から取得したセンサ情報に基づいて健康状態を特定する。健康状態の取得方法は、これに限定されるものではない。例えば、取引情報において、病院等における支払状況を特定し、医療費の支払状況に基づいて、健康状態を取得するようにしてもよい。
【００６０】
・上記実施形態では、管理端末２０の制御部２１は、取引管理支援処理、健康管理支援処理を実行する。この場合、いずれか一方の管理支援処理や、その他の情報を利用して、アドバイスを行なうようにしてもよい。例えば、店舗情報を利用して、各店舗におけるアドバイスを行なうようにしてもよい。この場合には、特定の店舗ＩＤが記録されている取引状況管理レコード２３０を用いて、健康状態に基づく取引状況の評価処理（ステップＳ２−４）、取引状況に基づく健康状態の評価処理（ステップＳ２−５）を実行する。この場合には、ＧＰＳ等を用いて、ユーザの所在地を特定し、ユーザが訪れている店舗に基づいて、取引のアドバイスを行なう。
【００６１】
・上記実施形態では、管理端末２０の制御部２１は、健康状態に基づく取引状況の評価処理（ステップＳ２−４）、取引状況に基づく健康状態の評価処理（ステップＳ２−５）を実行する。この場合、特定のカテゴリの取引内容（例えば、取引商品やサービス）が記録されている取引状況管理レコード２３０を用いて、これらの処理を実行するようにしてもよい。
【００６２】
・上記実施形態では、管理端末２０の制御部２１は、取引状況に基づく健康状態の評価処理を実行する（ステップＳ２−５）。そして、注意喚起が必要と判定した場合（ステップＳ４−３において「ＹＥＳ」の場合）、管理端末２０の制御部２１は、健康注意予報処理を実行する（ステップＳ４−４）。この場合、取引状況は、取引トランザクションに限定されるものではない。例えば、運用残高やローン残高などの残高状況等を用いて、健康状態を評価するようにしてもよい。更に、取引情報として、株価、外為相場、ローン金利変動等を用いることも可能である。この場合には、管理端末２０の制御部２１は、評価対象期間の取引情報を取得し、各ユーザの健康情報との関係性を特定する。例えば、外貨預金を取引しているユーザは、外為相場により、感情の起伏が発生し、健康に影響する可能性がある。この場合には、これらの取引情報を利用して、健康状態を評価することも可能である。
【００６３】
・上記実施形態では、各ユーザについての取引管理支援処理、健康管理支援処理を行なう。ユーザ個人だけでなく、ユーザに関連する配偶者、子供、親も含めた家族情報等の関係者全体についてのアドバイスを出力するようにしてもよい。この場合には、管理端末２０の制御部２１に、ユーザの関係者情報を記憶させておく。そして、ユーザ関係者における健康情報記録処理、取引情報記録処理を実行する。そして、関係者全体を一つのまとまりとして、取引管理支援処理、健康管理支援処理を実行する。
【００６４】
・上記実施形態では、管理端末２０の制御部２１は、健康管理支援処理を実行する。ここでは、管理端末２０の制御部２１は、取引情報に対応する健康情報の取得処理を実行する（ステップＳ４−２）。これに加えて、天気、気温、湿度等の環境情報に対応する健康情報を取得してもよい。この場合には、管理端末２０の制御部２１は、ユーザの所在地を特定し、ユーザの所在地に対応する環境情報を取得する。そして、ステップＳ４−２において、管理端末２０の制御部２１は、環境情報、取引情報に対応する健康情報の取得処理を実行する。これにより、特定の周囲環境における取引情報に対応するユーザの健康情報を取得することができる。
更に、取引場所を考慮して、健康情報を取得するようにしてもよい。この場合には、取引状況記憶部２３に記録された取引状況管理レコード２３０の店舗ＩＤに基づいて、取引場所情報を特定する。これにより、特定の取引場所における取引情報に対応するユーザの健康情報を取得することができる。
【００６５】
・上記実施形態では、健康管理支援処理において、注意喚起が必要と判定した場合（ステップＳ４−３において「ＹＥＳ」の場合）、管理端末２０の制御部２１は、健康注意予報処理を実行する（ステップＳ４−４）。ここで、健康注意予報として、健康に繋がるライフスタイルをアドバイスするようにしてもよい。この場合、管理端末２０の制御部２１が、クレジット決済等の取引情報により、各ユーザのお金の使い方や貯め方のパターンを特定し、このパターンと健康情報との関係性を算出する。そして、ユーザにおいて、よい健康状態の「お金との接し方」についてライフスタイルをアドバイスするようにしてもよい。例えば、衣服・食事や娯楽等における出費がある等の取引状況において、良好な健康状態情報を取得できる場合には、「衣服・食事や娯楽等の消費を切り詰めすぎない」というアドバイスを出力することができる。また、一定の貯蓄（残高）がある等の取引状況において、良好な健康状態情報を取得できる場合には、「貯蓄をくずさないように維持」というアドバイスを出力することができる。
【符号の説明】
【００６６】
１０…センサ、２０…管理端末、２１…制御部、２１１…身体情報取得部、２１２…健康評価部、２１３…取引情報取得部、２１４…取引評価部、２１５…アドバイス部、２２…健康情報記憶部、２３…取引状況記憶部、２４…評価情報記憶部、３０…ホストシステム、３３…取引情報記憶部。
【図１】
2017123032.tif 000003
【図２】
2017123032.tif 000004
【図３】
2017123032.tif 000005
【図４】
2017123032.tif 000006
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
利用者の健康状態を記録する健康情報記憶部と、
取引情報を記録した取引情報記憶部と、身体情報を取得するセンサに接続された制御部とを備えたアドバイス出力システムであって、
前記制御部が、
前記センサにおいて検出したセンサ情報に基づいて、健康状態を評価し、検出日時に関連付けて前記健康情報記憶部に記録し、
前記取引情報記憶部から取引情報を取得し、
前記取引情報についての取引評価結果を取得し、
前記取引評価結果と、取引日時に対応する検出日時の健康状態とを関連付けて記録し、
前記取引情報の取引日時に対応する検出日時の健康状態を、前記健康情報記憶部から取得し、
前記センサのセンサ情報に基づいて特定した健康状態に対応する取引評価結果に基づいてアドバイスを出力することを特徴とするアドバイス出力システム。
【請求項２】
利用者の健康状態を記録する健康情報記憶部と、
取引情報を記録した取引情報記憶部と、身体情報を取得するセンサに接続された制御部とを備えたアドバイス出力システムであって、
前記制御部が、
前記センサにおいて検出したセンサ情報に基づいて、健康状態を評価し、検出日時に関連付けて前記健康情報記憶部に記録し、
前記取引情報記憶部から取引情報を取得し、
前記取引情報について、評価対象期間の取引パターンを特定し、
前記取引パターンと、前記評価対象期間に対応する検出日時の健康状態とを関連付けて記録し、
前記取引情報の取引日時に対応する検出日時の健康状態を、前記健康情報記憶部から取得し、
前記取引情報記憶部から取得した取引情報の取引パターンに対応する健康状態に基づいてアドバイスを出力することを特徴とするアドバイス出力システム。
【請求項３】
利用者の健康状態を記録する健康情報記憶部と、
取引情報を記録した取引情報記憶部と、身体情報を取得するセンサに接続された制御部とを備えたアドバイス出力システムを用いて、アドバイスを出力する方法であって、
前記制御部が、
前記センサにおいて検出したセンサ情報に基づいて、健康状態を評価し、検出日時に関連付けて前記健康情報記憶部に記録し、
前記取引情報記憶部から取引情報を取得し、
前記取引情報についての取引評価結果を取得し、
前記取引評価結果と、取引日時に対応する検出日時の健康状態とを関連付けて記録し、
前記取引情報の取引日時に対応する検出日時の健康状態を、前記健康情報記憶部から取得し、
前記センサのセンサ情報に基づいて特定した健康状態に対応する取引評価結果に基づいてアドバイスを出力することを特徴とするアドバイス出力方法。
【請求項４】
利用者の健康状態を記録する健康情報記憶部と、
取引情報を記録した取引情報記憶部と、身体情報を取得するセンサに接続された制御部とを備えたアドバイス出力システムを用いて、アドバイスを出力する方法であって、
前記制御部が、
前記センサにおいて検出したセンサ情報に基づいて、健康状態を評価し、検出日時に関連付けて前記健康情報記憶部に記録し、
前記取引情報記憶部から取引情報を取得し、
前記取引情報について、評価対象期間の取引パターンを特定し、
前記取引パターンと、前記評価対象期間に対応する検出日時の健康状態とを関連付けて記録し、
前記取引情報の取引日時に対応する検出日時の健康状態を、前記健康情報記憶部から取得し、
前記取引情報記憶部から取得した取引情報の取引パターンに対応する健康状態に基づいてアドバイスを出力することを特徴とするアドバイス出力方法。
【請求項５】
利用者の健康状態を記録する健康情報記憶部と、
取引情報を記録した取引情報記憶部と、身体情報を取得するセンサに接続された制御部とを備えたアドバイス出力システムを用いて、アドバイスを出力するためのプログラムであって、
前記制御部を、
前記センサにおいて検出したセンサ情報に基づいて、健康状態を評価し、検出日時に関連付けて前記健康情報記憶部に記録し、
前記取引情報記憶部から取引情報を取得し、
前記取引情報についての取引評価結果を取得し、
前記取引評価結果と、取引日時に対応する検出日時の健康状態とを関連付けて記録し、
前記取引情報の取引日時に対応する検出日時の健康状態を、前記健康情報記憶部から取得し、
前記センサのセンサ情報に基づいて特定した健康状態に対応する取引評価結果に基づいてアドバイスを出力する手段として機能させることを特徴とするアドバイス出力プログラム。
【請求項６】
利用者の健康状態を記録する健康情報記憶部と、
取引情報を記録した取引情報記憶部と、身体情報を取得するセンサに接続された制御部とを備えたアドバイス出力システムを用いて、アドバイスを出力するためのプログラムであって、
前記制御部を、
前記センサにおいて検出したセンサ情報に基づいて、健康状態を評価し、検出日時に関連付けて前記健康情報記憶部に記録し、
前記取引情報記憶部から取引情報を取得し、
前記取引情報について、評価対象期間の取引パターンを特定し、
前記取引パターンと、前記評価対象期間に対応する検出日時の健康状態とを関連付けて記録し、
前記取引情報の取引日時に対応する検出日時の健康状態を、前記健康情報記憶部から取得し、
前記取引情報記憶部から取得した取引情報の取引パターンに対応する健康状態に基づいてアドバイスを出力する手段として機能させることを特徴とするアドバイス出力プログラム。
【手続補正２】
【補正対象書類名】明細書
【補正対象項目名】０００８
【補正方法】変更
【補正の内容】
【０００８】
（２）更に、第１のアドバイス出力システムにおいて、前記取引情報についての取引評価結果を取得し、前記取引評価結果と、取引日時に対応する検出日時の健康状態とを関連付けて記録し、前記センサのセンサ情報に基づいて特定した健康状態に対応する取引評価結果に基づいて、アドバイスを出力する。これにより、取引の満足度に応じた健康状態での取引についてのアドバイスを行なうことができる。
【手続補正３】
【補正対象書類名】明細書
【補正対象項目名】０００９
【補正方法】変更
【補正の内容】
【０００９】
（３）更に、第２のアドバイス出力システムにおいて、前記取引情報について、評価対象期間の取引パターンを特定し、前記取引パターンと、前記評価対象期間に対応する検出日時の健康状態とを関連付けて記録し、前記取引情報記憶部から取得した取引情報の取引パターンに対応する健康状態に基づいてアドバイスを出力する。これにより、取引状況に応じて健康状態を予測し、健康状態についてのアドバイスを行なうことができる。